(57)【要約】【課題】コンテンツの視聴が中断しなければならない場合において、コンテンツ情報の視聴を最後まで視聴するのに有効な通信システム及びサーバー装置を提供する。【解決手段】航空機内に設置されコンテンツ情報を座席端末に送信可能なＡＶサーバー２０と、ＡＶサーバー２０に接続可能でありコンテンツ情報に対応するコンテンツ情報を格納するＷｅｂサーバー５０とを備える。ＡＶサーバー２０は、座席端末４０に対する所定のコンテンツ情報の送信を中断する場合、所定のコンテンツ情報を視聴した乗客を特定する識別情報と、所定のコンテンツを特定する識別情報と、所定のコンテンツ情報が中断した位置情報とを含む中断情報を生成し、Ｗｅｂサーバー５０に送信する。Ｗｅｂ５０は、受信した中断情報と顧客識別情報との一致を判定し、一致した場合は、アクセスしてきたユーザー端末１０に対し、中断情報に基づき中断した位置から所定のコンテンツ情報を送信する。【選択図】図４
2014138408.tif 000002
【特許請求の範囲】
【請求項１】
所定の空間内に設置され、コンテンツ情報を格納し、制限された時間内においてコンテンツ情報を前記所定の空間内に設置された第１の端末装置に送信可能な第１のサーバー装置と、
前記第１のサーバー装置に接続可能であり、前記コンテンツ情報に対応するコンテンツ情報を格納する第２のサーバー装置と、
を備え、
前記第１のサーバー装置は、
前記第１の端末装置に対する所定のコンテンツ情報の送信を中断する場合、前記所定のコンテンツ情報を視聴した顧客を特定する顧客識別情報と、前記所定のコンテンツを特定するコンテンツ識別情報と、前記所定のコンテンツ情報が中断した位置情報とを含む中断情報を生成し、
生成した前記中断情報を前記第２のサーバー装置に送信し、
前記第２のサーバー装置は、
受信した前記中断情報と予め格納した前記顧客識別情報との一致を判定し、
一致した場合は、前記中断情報を格納し、
前記顧客識別情報を用いて前記第２のサーバー装置にアクセスした第２の端末装置に対し、前記中断情報に基づき前記所定のコンテンツ情報において送信が中断した位置を含む前記所定のコンテンツ情報の部分を送信する、
通信システム。
【請求項２】
所定の空間内に設置され、コンテンツ情報を格納し、制限された時間内においてコンテンツ情報を前記所定の空間内に設置された第１の端末装置に送信可能な第１のサーバー装置と、
前記第１のサーバー装置に接続可能である第２のサーバー装置と、
を備え、
前記第１のサーバー装置は、
前記第１の端末装置に対する所定のコンテンツ情報の送信を中断する場合、前記所定のコンテンツ情報を視聴した顧客を特定する顧客識別情報と、前記所定のコンテンツを特定するコンテンツ識別情報と、前記所定のコンテンツ情報が中断した位置情報とを含む中断情報を生成し、
生成した前記中断情報を前記第２のサーバー装置に送信し、
前記第２のサーバー装置は、
受信した前記中断情報と予め格納した前記顧客識別情報との一致を判定し、
一致した場合は、前記中断情報を格納し、
更に格納した前記中断情報を他の所定の空間内に設置された他のサーバー装置に送信し、
前記他のサーバー装置は、制限された時間内において、前記中断情報に基づき前記所定のコンテンツ情報において送信が中断した位置を含む前記所定のコンテンツ情報の部分を配信可能である、
通信システム。
【請求項３】
所定の空間内に設置され、コンテンツ情報を格納し、制限された時間内においてコンテンツ情報を前記所定の空間内に設置された第１の端末装置に送信可能な管理サーバー装置と接続可能である通信サーバー装置であって、
前記所定の空間を利用する顧客を特定する顧客識別情報と、前記管理サーバー装置が格納するコンテンツ情報に対応するコンテンツ情報とを格納するメモリと、
前記メモリに接続される制御部と、
を備え、
前記制御部は、
前記管理サーバー装置が前記第１の端末装置に対する所定のコンテンツ情報の送信を中断する場合、前記管理サーバー装置より、前記所定のコンテンツ情報を視聴した顧客を特定する顧客識別情報と、前記所定のコンテンツを特定するコンテンツ識別情報と、前記所定のコンテンツ情報が中断した位置情報とを含む中断情報を取得し、
取得した中断情報と前記メモリに格納する顧客識別情報との一致を判定し、
一致した場合は中断情報を前記メモリに格納し、
前記顧客識別情報を用いて前記通信サーバー装置にアクセスした第２の端末装置に対し、前記中断情報に基づき前記所定のコンテンツ情報において送信が中断した位置を含む前記コンテンツ情報の部分を送信する、
通信サーバー装置。
【請求項４】
所定の空間内に設置され、コンテンツ情報を格納し、制限された時間内においてコンテンツ情報を前記所定の空間内に設置された第１の端末装置に送信可能な管理サーバー装置と接続可能である通信サーバー装置であって、
前記所定の空間を利用する顧客を特定する顧客識別情報を格納するメモリと、
前記メモリに接続される制御部と、
を備え、
前記制御部は、
前記管理サーバー装置が前記第１の端末装置に対する所定のコンテンツ情報の送信を中断する場合、前記管理サーバー装置より、前記所定のコンテンツ情報を視聴した顧客を特定する顧客識別情報と、前記所定のコンテンツを特定するコンテンツ識別情報と、前記所定のコンテンツ情報が中断した位置情報とを含む中断情報を取得し、
取得した中断情報と前記メモリに格納する顧客識別情報との一致を判定し、
一致した場合は中断情報を前記メモリに格納し、
前記中断情報を更に他のサーバー装置に送信し、
更に格納した前記中断情報を他の所定の空間内に設置された他のサーバー装置に送信し、
前記他のサーバー装置は、制限された時間内において、前記中断情報に基づき前記所定のコンテンツ情報において送信が中断した位置を含む前記所定のコンテンツ情報の部分を配信可能である、
通信サーバー装置。
【請求項５】
所定の空間内に設置され、コンテンツ情報を格納し、制限された時間内においてコンテンツ情報を送信可能な管理サーバー装置と、
前記所定の空間内に設置され、前記管理サーバー装置に接続可能であり、コンテンツ情報を受信し表示する一以上の第１の端末装置と、
前記所定の空間内に設置され、前記管理サーバー装置と通信可能な一以上のアクセスポイントと、
前記一以上のアクセスポイントのうち所定のアクセスポイントと無線通信可能な第２の端末装置と、
を備え、
前記管理サーバー装置は、前記第１の端末装置に対する所定のコンテンツ情報の送信を中断する場合、前記所定のコンテンツ情報を視聴した顧客を特定する顧客識別情報と、前記所定のコンテンツを特定するコンテンツ識別情報と、前記所定のコンテンツ情報が中断した位置情報とを含む中断情報を生成して格納し、
前記第２の端末装置は、前記所定のアクセスポイントを介して前記顧客識別情報を前記管理サーバー装置に送信し、
前記管理サーバー装置は、前記第２の端末装置より受信した前記顧客識別情報と格納した前記中断情報との一致を判定し、一致した場合は、前記中断情報に基づき前記所定のコンテンツ情報において送信が中断した位置を含む前記コンテンツ情報の部分を前記第２の端末装置に送信する、
通信システム。
【請求項６】
前記管理サーバー装置は、コンテンツ情報を格納する第１のサーバー装置と、前記第２の端末装置の認証を行う他のサーバー装置を含む、
請求項５に記載の通信システム。
【請求項７】
前記顧客識別情報は、前記所定の空間内における前記顧客の座席位置情報を含む、
請求項５又は６に記載の通信システム。
【請求項８】
所定の空間内に設置され、コンテンツ情報を受信し表示可能な一以上の第１の端末装置に対し制限された時間内においてコンテンツ情報を送信可能な管理サーバー装置であって、
前記コンテンツ情報を格納するメモリと、
前記メモリに接続される制御部と、
を備え、
前記制御部は、
前記第１の端末装置に対する所定のコンテンツ情報の送信を中断する場合、前記所定のコンテンツ情報を視聴した顧客を特定する顧客識別情報と、前記所定のコンテンツを特定するコンテンツ識別情報と、前記所定のコンテンツ情報が中断した位置情報とを含む中断情報を生成して格納し、
前記所定の空間内に設置された一以上のアクセスポイントのうち所定のアクセスポイントと無線通信可能な第２の通信端末装置より前記顧客識別情報を受信し、
前記第２の端末装置より受信した前記顧客識別情報と格納した前記中断情報との一致を判定し、
一致した場合は、前記中断情報に基づき前記所定のコンテンツ情報において送信が中断した位置を含む前記コンテンツ情報の部分を前記第２の端末装置に送信する、
管理サーバー装置。
【請求項９】
顧客を特定する識別情報を格納するメモリと、所定の空間内に設けられたアクセスポイントと無線通信するための無線通信部を備え、前記無線通信部を介して所定空間内の設けられたサーバーからの顧客識別のための問い合わせ情報を受取った場合に、前記格納された顧客を識別するための識別情報を前記無線通信部を介して送信し、前記無線送信部より受信した所定のコンテンツを格納し、格納された所定のコンテンツを利用者の要求に基づき再生表示する、情報端末装置。
【発明の詳細な説明】
【技術分野】
【０００１】
本開示は、コンテンツ情報を再生する通信システム及びサーバー装置に関する。
【背景技術】
【０００２】
従来、例えば航空機内においてサーバー装置を配置し、映像データや音声データを含むコンテンツ情報（映画、テレビ番組、音楽等）をサーバー装置より各座席に設置された端末装置に送信するサービスが提供されている。乗客は、端末装置のモニタを介して送信されたコンテンツ情報を視聴することができる（例えば、特許文献１参照）。
【先行技術文献】
【特許文献】
【０００３】
【特許文献１】特開２０１１−２０５４８６号公報
【発明の概要】
【発明が解決しようとする課題】
【０００４】
しかし、航空機やその他乗り物等においては、視聴者は限られた時間内（つまり、搭乗時間内）にコンテンツ情報を視聴しなければならない。特に、航空機においては、着陸の準備に入った以降コンテンツの視聴ができなくなり乗客はコンテンツ情報の視聴を途中で諦めることを余儀なくされることも少なくない。
本開示は、搭乗中の航空機内でコンテンツが最後まで視聴できない場合において、コンテンツ情報の視聴を最後まで視聴するのに有効な通信システム及びサーバー装置を提供する。
【課題を解決するための手段】
【０００５】
本開示における通信システムは、所定の空間内たとえば航空機内に設置され、コンテンツ情報を格納し制限された時間内においてコンテンツ情報を所定の空間内に設置された第１の端末装置に送信可能な第１のサーバー装置と、第１のサーバー装置に接続可能されコンテンツ情報に対応するコンテンツ情報を格納する第２のサーバー装置と、を備える。第１の端末装置に第１のサーバー装置から供給中のコンテンツの配信が中断された場合、所定のコンテンツ情報を視聴した顧客を特定する顧客識別情報と、所定のコンテンツを特定するコンテンツ識別情報と、所定のコンテンツ情報が中断した位置情報とを含む中断情報を生成し、生成した中断情報を第２のサーバー装置に送信する。第２のサーバー装置は、受信した中断情報と予め格納した顧客識別情報との一致を判定し、一致した場合は、中断情報を格納する。第２のサーバー装置は、顧客識別情報を用いて第２のサーバー装置にアクセスした第２の端末装置に対し、中断情報に基づき所定のコンテンツ情報において送信が中断した位置を含む所定のコンテンツ情報の部分を送信する。
【０００６】
また、本開示における通信システムは、所定の空間内に設置され、コンテンツ情報を格納し、制限された時間内においてコンテンツ情報を送信可能な管理サーバー装置と、所定の空間内に設置され、管理サーバー装置に接続可能であり、コンテンツ情報を受信し表示する一以上の第１の端末装置と、所定の空間内に設置され、管理サーバー装置と通信可能な一以上のアクセスポイントと、一以上のアクセスポイントのうち所定のアクセスポイントと無線通信可能な第２の端末装置と、を備える。管理サーバー装置は、第１の端末装置に対する所定のコンテンツ情報の送信を中断する場合、所定のコンテンツ情報を視聴した顧客を特定する顧客識別情報と、所定のコンテンツを特定するコンテンツ識別情報と、所定のコンテンツ情報が中断した位置情報とを含む中断情報を生成して格納する。第２の端末装置は、所定のアクセスポイントを介して顧客識別情報を管理サーバー装置に送信する。管理サーバー装置は、第２の端末装置より受信した顧客識別情報と格納した中断情報との一致を判定し、一致した場合は、中断情報に基づき所定のコンテンツ情報において送信が中断した位置を含むコンテンツ情報の部分を第２の端末装置に送信する。
【０００７】
本開示におけるサーバー装置は、所定の空間内に設置され、コンテンツ情報を格納し、制限された時間内においてコンテンツ情報を所定の空間内に設置された第１の端末装置に送信可能な管理サーバー装置と接続可能である通信サーバー装置であって、所定の空間を利用する顧客を特定する顧客識別情報と、管理サーバー装置が格納するコンテンツ情報に対応するコンテンツ情報とを格納するメモリと、メモリに接続される制御部と、を備える。制御部は、管理サーバー装置が第１の端末装置に対する所定のコンテンツ情報の送信を中断する場合、管理サーバー装置より、所定のコンテンツ情報を視聴した顧客を特定する顧客識別情報と、所定のコンテンツを特定するコンテンツ識別情報と、所定のコンテンツ情報が中断した位置情報とを含む中断情報を取得する。制御部は、取得した中断情報とメモリに格納する顧客識別情報との一致を判定し、一致した場合は中断情報をメモリに格納する。制御部は、顧客識別情報を用いて通信サーバー装置にアクセスした第２の端末装置に対し、中断情報に基づき所定のコンテンツ情報において送信が中断した位置を含むコンテンツ情報の部分を送信する。
【０００８】
また、本開示におけるサーバー装置は、所定の空間内に設置され、コンテンツ情報を受信し表示可能な一以上の第１の端末装置に対し制限された時間内においてコンテンツ情報を送信可能な管理サーバー装置であって、コンテンツ情報を格納するメモリと、メモリに接続される制御部と、を備える。制御部は、第１の端末装置に対する所定のコンテンツ情報の送信を中断する場合、所定のコンテンツ情報を視聴した顧客を特定する顧客識別情報と、所定のコンテンツを特定するコンテンツ識別情報と、所定のコンテンツ情報が中断した位置情報とを含む中断情報を生成して格納する。制御部は、所定の空間内に設置された一以上のアクセスポイントのうち所定のアクセスポイントと無線通信可能な第２の通信端末装置より顧客識別情報を受信する。制御部は、
第２の端末装置より受信した顧客識別情報と格納した中断情報との一致を判定し、一致した場合は、中断情報に基づき所定のコンテンツ情報において送信が中断した位置を含むコンテンツ情報の部分を第２の端末装置に送信する。
【発明の効果】
【０００９】
本開示における通信システム及びサーバー装置は、コンテンツの視聴が中断しなければならない場合において、コンテンツ情報の視聴を最後まで視聴するのに有効である。
【図面の簡単な説明】
【００１０】
【図１】実施の形態１に係る通信システムの概略構成図
【図２】実施の形態１に係る通信システムに含まれる各装置の概略構成図
【図３】中断情報の一例を示す図
【図４】実施の形態１に係る通信システムの動作を示すフローチャート
【図５】実施の形態１の変形例に係る通信システムの概略構成図
【図６】実施の形態２に係る通信システムの概略構成図
【図７】実施の形態２に係る通信システムに含まれる各装置の概略構成図
【図８】実施の形態２に係る顧客ＩＤ情報の一例を示す図
【図９】実施の形態２に係る通信システムの動作を示すフローチャート
【発明を実施するための形態】
【００１１】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者らは、当業者が本開示を十分に理解するために添付図面及び以下の説明を提供するのであって、これらによって特許請求の範囲に記載の主題を限定することを意図するものではない。
【００１２】
説明中で同じ符号、記号、数字は、特に説明が無い限り、同じ構成要素を示すものとする。また、特に説明が無い限り本発明に必須でない構成要素は図示しないものとする。
（実施の形態１）
［１−１．  通信システムの構成］
以下、本発明の実施の形態１に係る通信システム１を輸送機関の１つである航空機に適用した事例を挙げて説明する。
【００１３】
図１は、通信システム１（通信システムの一例）の全体構成を概略的に示す。通信システム１は、航空機内に設置されたＡＶサーバー２０（第１のサーバー装置又は管理サーバー装置の一例）と、ＡＶサーバー２０と有線ケーブルを介して接続されるディストリビュータ３０と、ディストリビュータ３０に有線ケーブルを介して接続され各座席に設置された座席端末４０（第１の端末装置の一例）と、を備える。ＡＶサーバー２０は更に、Ｗｅｂサーバー５０（第２のサーバー装置又は通信サーバー装置の一例）と無線または他の方法で通信可能に構成される。
【００１４】
通信システム１においては、座席端末４０を利用して搭乗中の乗客がコンテンツ情報を視聴中に、何らかの理由（着陸開始によるコンテンツ情報配信の停止等）によりコンテンツ情報の受信が中断してしまった場合、残りのコンテンツ情報を搭乗中の航空機の外で乗客が視聴できるようにするものである。乗客は、残りのコンテンツ情報を自身の端末装置からＷｅｂサーバー５０に別途アクセスして、視聴することが可能となる。
【００１５】
以下、図２を参照しながら通信システム１に含まれる各装置の構成について説明する。
［１−１−１．  ＡＶサーバーの構成］
図２の符号２０は、ＡＶサーバー２０を示す。ＡＶサーバー２０は、航空機内に設置されたコンピュータ装置であり、乗客が利用する座席端末４０に対して、映像データや音声データを含むコンテンツ情報を送信する他、航空機の運行情報、環境情報等を取得し、航空機内のネットワークシステム全体を管理する。
【００１６】
ＡＶサーバー２０は、少なくとも所定のバスを介して接続される制御部２１、メモリ２２、送信部２５、及び受信部２６を備える。
制御部２１は、ＣＰＵ等から構成され、所定のプログラムを実行することによりＡＶサーバー２０の各機能を実行する。特に、中断情報生成部２１Ａは、後述するように、座席端末４０へのコンテンツ情報の送信が中断してしまった場合において、当該座席とその座席に搭乗している顧客と視聴が中断されたコンテンツを対応付ける中断情報を生成する。中断情報は、例えば、図３に示すような内容の情報であり、当該座席番号、フライト番号、フライト日時等を特定する情報や顧客を一意に特定する情報を含む顧客ＩＤ情報、視聴が中断したコンテンツ情報を特定するコンテンツＩＤ情報、及びコンテンツの中断位置を示すコンテンツ中断位置（中断した時点）情報を含む。コンテンツ中断位置情報とは一つのコンテンツ（圧縮ビデオデータであることが多い）の位置を特定する為の情報で、ＭＰＥＧ圧縮技術で使われる、ＰＴＳ（プレゼンテーションタイムスタンプ）や、シーケンス番号や、ビデオのフレーム番号等がある。一般的にビデオデータのみならずオーディオデータも同期して再生するため、ビデオとオーディオの両方の位置を特定する情報が望ましい。なお、顧客を一意に特定する情報とは、例えば、例えばフライトの予約番号、マイレージ番号、航空会社の顧客情報に登録された会員番号等である。
【００１７】
メモリ２２は、種々のデータを格納する。特に、メモリは半導体メモリあるいはフラッシュメモリーやＨＤＤなどの不揮発性メモリあるいはこれらの組合せで構成され、中断情報記憶部２２Ａと、コンテンツ記憶部２２Ｂとを含む。中断情報記憶部２２Ａは、中断情報生成部２１Ａにより生成された中断情報を記憶する。コンテンツ記憶部２２Ｂは、各座席端末４０に送信可能なコンテンツ情報を記憶する。
【００１８】
送信部２５は、制御部２１により読み出されたメモリ２２の情報（コンテンツ情報等）を、ディストリビュータ３０を介して座席端末４０に上記コンテンツなどの情報を送信する。送信部２５はまた、無線通信あるいは別の方法でＷｅｂサーバー５０に上記中断情報等を送信する。
受信部２６は、座席端末４０よりディストリビュータ３０を介して要求信号やその他データを受信する。受信部２６はまた、Ｗｅｂサーバー５０より信号を受信する。
【００１９】
なお、ここではＡＶサーバー２０とディストリビュータ３０を別個のハードウェアとして説明しているが、一つのハードウェアで構成してもよい。
［１−１−２．  座席端末の構成］
図２の符号４０は、座席端末の構成を示す。座席端末４０は、所定のバスを介して接続された制御部４１、メモリ４２、表示部４３、入力部４４、送信部４５、及び受信部４６を備える。
【００２０】
制御部４１は、ＣＰＵ等から構成され、所定のプログラムを実行することにより座席端末４０の各機能を実行する。メモリ４２は、種々のデータを格納する。表示部４３は、ＬＣＤや有機ＥＬディスプレイ等の表示画面を有し、入力部４４の操作により制御部４１の指令に応じてＡＶサーバー２０から取得された情報（要求されたコンテンツ情報等）を表示する。入力部４４は、表示部４３の表示画面上に配置されたタッチパネルや、コントローラと呼ぶ複数の操作ボタンが配置された入力手段であり、ユーザーの操作により入力された情報を制御部４１に送信する。送信部４５は、要求信号やその他データを、ディストリビュータ３０を介してＡＶサーバー２０に送信する。受信部４６は、ＡＶサーバー２０よりディストリビュータ３０を介してコンテンツ情報等を受信する。
［１−１−３．  Ｗｅｂサーバーの構成］
図２の符号５０は、Ｗｅｂサーバーを示す。Ｗｅｂサーバー５０は、航空機内のＡＶサーバー２０とサテライト、３Ｇ、ＬＴＥ、ＷｉＦｉ等の無線または他の方法で通信が可能であり、例えば各航空会社のウェブサイトを実行するようなインターネットに接続可能な外部に設置されたコンピュータ装置である。
【００２１】
Ｗｅｂサーバー５０は、所定のバスを介して接続される制御部５１、メモリ５２、送信部５５、及び受信部５６を備える。
制御部５１は、ＣＰＵ等から構成され、所定のプログラムを実行することによりＷｅｂサーバー５０の各機能を実行する。特に、認証部５１Ｃは、後述するように、ＡＶサーバー２０から受取った中断情報に含まれる顧客を特定する情報、例えばマイレージ番号と予め格納した顧客を特定するＩＤ情報とを照合すると共に、アクセスしてきたユーザー端末１０からのＩＤ情報との照合判定を行う。
【００２２】
メモリ５２は、種々のデータを格納する。特に、中断情報記憶部５２Ａは、ＡＶサーバー２０から受信した中断情報を記憶する。コンテンツ記憶部５２Ｂは、ＡＶサーバー２０に格納されたコンテンツ情報に対応するコンテンツ情報を格納する。コンテンツ記憶部に格納するコンテンツはＡＶサーバー２０に格納されたコンテンツと全く同一のコンテンツでも、また解像度・圧縮率・圧縮フォーマットなどが異なるコンテンツでも、中断情報に基づき両者が同じ位置を特定できるものであれば良い。また、コンテンツ記憶部はＷｅｂサーバー５０内に設けてもよく、Ｗｅｂサーバー５０と連動して動作する別のサーバー内に設けても同様である。顧客ＩＤ情報記憶部５２Ｄは、予め取得し格納した顧客を特定する識別情報であり、顧客を特定する番号や、対応するフライト番号や座席番号等を記憶する。
【００２３】
送信部５５は、制御部５１により読み出されたメモリ５２の情報（コンテンツ情報等）を、インターネット等のネットワークＮＷを介してアクセス認証されたユーザー端末１０に送信する。送信部５５はまた、ＡＶサーバー２０に対する信号を送信する。
受信部５６は、インターネット等のネットワークＮＷを介してユーザー端末１０からのアクセス信号やその他データを受信する。受信部５６はまた、ＡＶサーバー２０より中断情報やその他データを受信する。
【００２４】
［１−１−４．  ユーザー端末の構成］
図２の符号１０は、ユーザー端末を示す。ユーザー端末１０は、乗客が降機後に用いるスマートフォンやタブレット端末、ノートパソコン等の端末であり、所定のバスを介して接続された制御部１１、メモリ１２、表示部１３、入力部１４、送信部１５、及び受信部１６を備え、ウインドウズ、アンドロイドＯＳ，iＯＳなどのＯＳとアプリケーションと
呼ばれる各種機能を実現するソフトウェアが動作する。
制御部１１は、ＣＰＵ等から構成され、所定のプログラムを実行することによりユーザー端末１０の各機能を実行する。メモリ１２は、種々のデータを格納する。表示部１３は、ＬＣＤや有機ＥＬディスプレイ等の表示画面を有し、制御部１１の指令に応じてＷｅｂサーバー５０から取得された情報、例えばユーザーを認証する為のダイアログ画面や、ＭＰＥＧやＨ．２６４などの圧縮方式で圧縮された圧縮ビデオコンテンツを圧縮復号して得られた映像およびオーディオ出力を表示部１３に表示および図示しないスピーカーあるいはイヤホンに出力する。入力部１４は、表示部１３に表示されるタッチパネルや、操作ボタン、キーボード、マウス等の入力手段であり、ユーザーの操作により入力された情報を制御部１１に送信する。送信部１５は、アクセス信号やその他データをインターネット等のネットワークＮＷを介してＷｅｂサーバー５０に送信する。受信部１６は、インターネット等のネットワークＮＷを介してＷｅｂサーバー５０より取得された情報（中断されたコンテンツ情報等）を受信する。
【００２５】
［１−２．  通信システムの動作］
図４を参照しながら、本実施の形態に係る通信システム１の動作について説明する。
ステップＳ１０１：航空機が離陸した後に上空に到達すると、航空機内においてＡＶサーバー２０によるサービスが利用可能になる。ＡＶサーバー２０は、各座席または近傍に設けられた座席端末４０からの要求に応じてＡＶサーバー２０内に格納した楽曲や映画などのＡＶコンテンツ情報を配信する。
ステップＳ１０２：座席端末４０は、ＡＶサーバー２０よりコンテンツ情報を受信し、受信したコンテンツ、これらはＭＰＥＧやＨ．２６４などの圧縮技術を用いて圧縮されたデジタル動画像データと、ＭＰ３やＡＡＣなどの圧縮技術を用いて圧縮されたオーディオデータと、デジタル動画像データとオーディオデータを同期するためのタイムスタンプなどの同期情報とからなる。デジタル圧縮されたデジタル動画像データはＣＰＵあるいは専用の復号回路を使って復号された後に表示部４３に表示する。また、オーディオデータも復号された後に図示しないスピーカーあるいはイヤホンに出力する。これにより、視聴者である乗客はコンテンツ情報を視聴できる。
【００２６】
ステップＳ１０３：ＡＶサーバー２０の制御部２１は、コンテンツ情報の送信が中断の要求があったかどうかを判定する。コンテンツ情報の送信の中断要求は、例えば着陸の準備の開始の通知（機内アナウンスがＡＶサーバー２０を介して送信される）やその他安全の確保のために実行される。或いは、視聴者の都合によりコンテンツ情報の受信を中断する場合であってもよい。この場合、座席端末４０からの要求信号により中断される。
【００２７】
ステップＳ１０４：座席端末４０上に視聴しているコンテンツ情報の表示を停止する。
ステップＳ１０５：その後、ＡＶサーバーと連携し、座席端末４０に視聴が中断されたコンテンツの続きの部分の視聴を要求するかどうかを確認するためのダイアログ画面を座席端末４０上に表示する。例えば、表示部４３に、残りのコンテンツ情報の視聴を希望するかどうかを尋ねるメッセージを表示し、乗客にＹｅｓかＮｏかを入力させるようにしてもよい。乗客は、座席端末４０の入力部４４の操作を介して、残りのコンテンツ情報の視聴を希望する場合は、その要求を送信する。なお、このとき、その座席に搭乗していた乗客を特定するためのＩＤ情報を入力する。乗客を特定するための方法としては、予め座席に搭乗している乗客のマイレージ番号やフライトの予約番号を表示部４３上に表示して、乗客がＹｅｓかＮｏかを入力するものでもよく、あるいはこれらの番号を乗客が直接入力するものであっても構わない。
【００２８】
ステップＳ１０６：ＡＶサーバー２０の制御部２１は、座席端末４０より視聴中のコンテンツの残りのコンテンツ情報の視聴を要求する信号を受取る。
ステップＳ１０７：ＡＶサーバー２０は、ステップＳ１０６において残りのコンテンツ情報の視聴を要求する信号を受信した場合は、乗客を特定するためのＩＤ情報と中断されたコンテンツを特定する為の情報（例えば映画のタイトルなど）と中断した時点を特定するための情報（例えばタイムスタンプなど）を含む中断情報を生成し、ＡＶサーバー２０内に一旦格納する。そして、Ｗｅｂサーバー５０との通信可能なときに、同中断情報をＷｅｂサーバー５０に送信する。この通信方法としては搭乗ゲート付近に設けた無線ＬＡＮのアクセスポイントと接続してＷｅｂサーバーと接続する方法や、３Ｇ，ＬＴＥ回線による通信、あるいは客室乗務員がＳＤカードなどの蓄積メディアにデータを保存したのち、Ｗｅｂサーバーに接続可能な機器を介して送信するなどの方法が考えられる。
【００２９】
ステップＳ１０８：Ｗｅｂサーバー５０は、ＡＶサーバー２０から受取った中断情報を受信し格納する。格納された中断情報と予め格納された顧客ＩＤ情報と照合し顧客ＩＤ情報と該中断情報を対応付ける。顧客ＩＤ情報はマイレージ番号などが好ましい。
ステップＳ１０９：Ｗｅｂサーバー５０の制御部５１は、ユーザー端末１０よりアクセスを受け手Ｗｅｂサーバー５０とユーザー端末１０との間で接続を行うための認証が行われる。例えば、ユーザー端末上にマイレージ番号などの顧客ＩＤ情報を問い合わせるためのダイアログ画面を表示し、顧客はダイアログ画面に従ってマイレージ番号とパスワードを入力することにより顧客が認証できる。
【００３０】
ステップＳ１１０：Ｗｅｂサーバー５０は、ユーザー端末１０が登録された顧客からの接続であることが確認されると、更にユーザー端末１０から入力されたＩＤ情報（顧客ＩＤ情報を含む）と、メモリ５２に記憶された中断情報に含まれる顧客ＩＤ情報の間で照合を行い、一致する顧客ＩＤがあるかどうかを確認する。
ステップＳ１１１：Ｗｅｂサーバー５０は、一致した顧客ＩＤ情報が見つかった場合、一致した顧客ＩＤ情報を含む中断情報にあるコンテンツ情報と中断位置を示す情報に基づきアクセスしている当該ユーザー端末１０に対し、中断情報にある中断位置を含む時点からのコンテンツ情報を当該ユーザー端末１０に送信する。
【００３１】
［１−３．  変形例］
上記実施の形態においては、顧客が航空機を降りた後に、例えば自宅からユーザー端末１０を用いて（航空会社の）Ｗｅｂサーバーにアクセスして、残りのコンテンツ情報を視聴できるようにしていたが、これに限定されない。顧客が後で別の航空機に搭乗した場合に例えば乗り継ぎ便の航空機や往復の場合の復路の便などにおいて、その航空機の座席端末より残りのコンテンツ情報を視聴できるようにしてもよい。
この場合、図４のステップＳ１０８においてＷｅｂサーバー５０がＡＶサーバー２０より受信した中断情報を格納したのち、図５に示すように、顧客が搭乗する別の航空機のＡＶサーバー２０’（他のサーバー装置の一例）に顧客が搭乗する前に当該中断情報を送信する必要がある。当該ＡＶサーバー２０’は離陸に先立ち受信した中断情報と予め保存しておき、搭乗した顧客ＩＤ情報と保存された顧客ＩＤ情報が一致すれば当該顧客ＩＤ情報に対応する座席端末４０’に対し、ディストリビュータ７０’等を介して中断情報にある視聴が中断されたコンテンツの中断位置から続く部分のコンテンツ情報を配信する。
【００３２】
［１−４．  効果等］
上記実施の形態にかかる通信システム１によれば、航空機の搭乗中にコンテンツ情報の視聴の中断を余儀なくされた場合であっても、乗客は降機後、自身が利用する端末装置を用いて、あるいは後続し搭乗する航空機内で残りのコンテンツ情報を視聴できる。
また、残りのコンテンツ情報を自宅など航空機の外で視聴する場合においても、視聴可能コンテンツ情報を一部分、例えば映画の後半部分のみに制限してコンテンツ情報の配信をすることにより、コンテンツ全体が違法コピー等のリスクにさらされることを防ぐことができる。
【００３３】
（実施の形態２）
［２−１．  通信システムの構成］
以下、本発明の実施の形態２に係る通信システム２について説明する。なお、同様の構成及び機能を有する装置については説明を省略し、実施の形態１と同一の符号により示す。
実施の形態２に係る通信システム２においては、航空機内において乗客が携帯するユーザー端末９０と航空機内の無線アクセスポイント間の無線通信を用いて、航空機内で視聴が中断されたコンテンツの残りのコンテンツ情報をユーザー端末９０に送信し、ユーザー端末９０において残りのコンテンツ情報の視聴を可能にする点において、実施の形態１とは異なる。
【００３４】
図６、通信システム２（通信システムの一例）の全体構成を概略的に示す。通信システム２は、航空機内に設置されたＡＶコンテンツを格納しＡＶコンテンツを配信するＡＶサーバー２０（管理サーバー装置の一例）と、ＡＶサーバー２０と有線ケーブルを介して接続されるディストリビュータ３０と、ディストリビュータ３０に有線ケーブルを介して各座席または座席近傍に設置された座席端末４０（第１の端末装置の一例）と、ＡＶサーバー２０と有線ケーブルを介して接続されるセキュリティサーバー６０（管理サーバー装置の一例）と、ユーザー端末９０（第２の端末装置の一例）と、セキュリティサーバー６０に有線ケーブルを介してひとつまたは複数台接続され、乗客が持ち込んだユーザー端末９０との間をＷｉＦｉなどの無線通信によって接続するためのアクセスポイント７０を備える。
以下、図７を参照しながら通信システム１に含まれる各装置の構成について説明する。
【００３５】
［２−１−１．  ＡＶサーバーの構成］
図７のＡＶサーバー２０の構成は、上記実施の形態１と同様である。
ＡＶサーバー２０は、送信部２５を介して、少なくとも乗客を特定する顧客ＩＤ情報と乗客が視聴中のコンテンツを特定するための情報と、該視聴中のコンテンツの視聴が中断された位置を示す情報を含む、中断記憶情報をセキュリティサーバー６０に送信する。
［２−１−２．  座席端末の構成］
図７の座席端末４０の構成は、上記実施の形態１と同様である。
［２−１−３．  セキュリティサーバーの構成］
図７の符号６０は、セキュリティサーバーを示す。セキュリティサーバー６０は、航空機内のＡＶサーバー２０と有線ケーブルによって接続され、同様に有線ケーブルによって接続されたひとつまたは複数のアクセスポイント７０からの情報を通信処理するコンピュータ装置である。なお、セキュリティサーバー６０はＡＶサーバー２０と分離した機器であっても、ＡＶサーバー２０で使われるコンピュータ装置に実装されたソフトウェアで実現しても構わない。
【００３６】
セキュリティサーバー６０は、所定のバスを介して接続される制御部６１、メモリ６２、送信部６５、及び受信部６６を備える。
制御部６１は、ＣＰＵ等から構成され、所定のプログラムを実行することによりセキュリティサーバー６０の各機能を実行する。特に、端末認証情報生成部６１Ｅは、後述するように、航空機内においてアクセスポイント７０を介してアクセスしたユーザー端末９０から顧客ＩＤ情報及び座席番号等の座席情報の少なくとも一つを取得し、ユーザーが航空機内に持ち込んだユーザー機器と乗客または座席と対応付けるための端末認証情報を生成する（例えば、図８に示す）。顧客ＩＤ情報は、実施の形態１と同様であり、顧客を一意に特定する顧客ＩＤ情報であって、フライトの予約番号、マイレージ番号、航空会社の会員番号等により特定される。認証部６１Ｃは、後述するように、ＡＶサーバー２０より取得した中断情報に含まれる顧客を特定するＩＤ情報と端末認証情報に含まれる顧客を特定するＩＤ情報とを照合し、顧客を特定するＩＤ情報が一致するかどうかを判定する。
【００３７】
メモリ６２は、半導体メモリあるいはフラッシュメモリーやＨＤＤなどの不揮発性メモリおよびこれらの組合せで構成され種々のデータを格納する。特に、中断情報記憶部６２Ａは、ＡＶサーバー２０から受信した少なくとも乗客を特定する顧客ＩＤ情報と乗客が視聴中のコンテンツを特定するための情報と、該視聴中のコンテンツの視聴が中断された位置を示す情報を含む、中断情報を記憶する。
送信部６５は、制御部６１により読み出されたメモリ６２の情報（例えば、視聴が中断したコンテンツの残りのコンテンツ情報等）を、アクセスポイント７０を介してアクセス中のユーザー端末９０に送信する。受信部６６は、アクセスポイント７０を介してアクセス中のユーザー端末９０より要求信号やその他データを受信する。受信部５６はまた、ＡＶサーバー２０より中断情報やその他データを受信する。
【００３８】
［２−１−４．  ユーザー端末の構成］
図７の符号９０は、ユーザー端末を示す。ユーザー端末９０は、乗客が携帯する、スマートフォンやタブレット端末等の携帯端末である。ユーザー端末９０は、所定のバスを介して接続された制御部９１、メモリ９２、表示部９３、入力部９４、及び無線ＩＦ部９７を備え、ウインドウズ、アンドロイドＯＳ，iＯＳなどのＯＳとアプリケーションと呼ば
れる各種機能を実現するソフトウェアが動作する。
【００３９】
制御部９１は、ＣＰＵ等から構成され、所定のプログラムを実行することによりユーザー端末９０の各機能を実行する。メモリ１２は、種々のデータ、例えばセキュリティサーバー６０より受信した、航空機が着陸体勢に入るなどの状況により乗客による視聴を中断されたコンテンツの残りのコンテンツ情報を格納する。表示部９３は、ＬＣＤや有機ＥＬディスプレイ等の表示画面を有し、制御部９１の指令に応じてアクセスポイント７０を介して取得された情報（例えば、ＡＶサーバー２０から座席端末４０に送信されたコンテンツの残りのコンテンツ情報等）、これらはＭＰＥＧやＨ．２６４などの圧縮技術を用いて圧縮されたデジタル動画像データと、ＭＰ３やＡＡＣなどの圧縮技術を用いて圧縮されたオーディオデータと、デジタル動画像データとオーディオデータを同期するためのタイムスタンプなどの同期情報とからなる。デジタル圧縮されたデジタル動画像データはＣＰＵあるいは専用の復号回路を使って復号された後に表示部９３に表示する。また、オーディオデータも復号された後に図示しないスピーカーあるいはイヤホンに出力する。入力部９４は、表示部９３の表示部分前面に設けられたタッチパネルや、操作ボタン、キーボード、マウス等の入力手段であり、ユーザーの操作により入力された情報を制御部９１に送信する。無線ＩＦ部９７は、アンテナ（図示省略）を介して制御部９１により生成される情報を無線送信し、且つアクセスポイント７０から情報を送受信する無線インターフェースである。
【００４０】
［２−２．  通信システムの動作］
図９を参照しながら、本実施の形態に係る通信システム２の動作について説明する。
ステップＳ２０１：航空機が離陸した後に上空に到達すると、航空機内においてＡＶサーバー２０によるサービスが利用可能になる。ＡＶサーバー２０は、各座席または近傍に設けられた座席端末４０からの要求に応じてＡＶサーバー２０内に格納した楽曲や映画などのＡＶコンテンツ情報を送信する。
ステップＳ２０２：座席端末４０は、ＡＶサーバー２０よりコンテンツ情報を受信し、これらは一般的に圧縮された動画像データとオーディオデータからなり、圧縮を復号された後に表示部４３に表示する。これにより、視聴者である乗客はコンテンツ情報を視聴できる。
【００４１】
ステップＳ２０３：ＡＶサーバー２０の制御部２１は、コンテンツ情報の送信が中断の要求があったかどうかを判定する。コンテンツ情報の送信の中断は、例えば着陸準備の開始の通知（機内アナウンスがＡＶサーバー２０を介して送信される）やその他安全の確保のために実行される。或いは、視聴者の都合によりコンテンツ情報の受信を停止した場合であってもよい。この場合、座席端末４０からの要求信号により中断される。
【００４２】
ステップＳ２０４：座席端末４０上に視聴しているコンテンツ情報の表示を停止する。
ステップＳ２０５：その後、ＡＶサーバーと連携し、座席端末４０に視聴が中断されたコンテンツの続きの部分の視聴を要求するかどうかを確認するためのダイアログ画面を座席端末４０上に表示する。例えば、表示部４３に、残りのコンテンツ情報の視聴を希望するかどうかを尋ねるメッセージを表示し、乗客にＹｅｓかＮｏかを入力させるようにしてもよい。乗客は、座席端末４０の入力部４４の操作を介して、残りのコンテンツ情報の視聴を希望する場合は、その要求を送信する。なお、このとき、その座席に搭乗していた乗客を特定するためのＩＤ情報を入力する。乗客を特定するための方法としては、予め座席に搭乗している乗客のマイレージ番号やフライトの予約番号を表示部４３上に表示して、乗客がＹｅｓかＮｏかを入力するものでもよく、あるいはこれらの番号を乗客が直接入力するものであっても構わない。
【００４３】
ステップＳ２０６：ＡＶサーバー２０の制御部２１は、座席端末４０より視聴中のコンテンツの残りのコンテンツ情報の視聴を要求する信号を受取る。
ステップＳ２０７：ＡＶサーバー２０は、ステップＳ２０６において残りのコンテンツ情報の視聴を要求する信号を受信した場合は、乗客を特定するためのＩＤ情報と中断されたコンテンツを特定する為の情報（例えば映画のタイトルなど）と中断した時点を特定するための情報（例えばタイムスタンプなど）を含む中断情報を生成し、ＡＶサーバー２０内に一旦格納する。そして、同中断情報をセキュリティサーバー６０に送信する。なお、中断情報のセキュリティサーバー６０への送信は、この時点でなくともよく、例えば、セキュリティサーバー６０の後述する認証時にセキュリティサーバー６０からの要求に応じて送信してもよい。
【００４４】
ステップＳ２０８：乗客が携帯するユーザー端末９０より、所定のアクセスポイント７０に無線アクセスする。
ステップＳ２０９：所定のアクセスポイント７０を介してセキュリティサーバー６０とユーザー端末９０との接続の可否が判定される。
この接続は、例えば公知の無線ＬＡＮによる方式に沿って実行される。例えば、無線通信が可能な状態になった航空機内においてＡＶサーバー２０によるサービスが可能な時間において、各アクセスポイント７０からビーコンの発信が開始され、このビーコンを航空機内のユーザー端末１０が受信し、共有した所定のＩＤ（例えば、ＳＳＩＤ）に基づき所定のアクセスポイント７０とユーザー端末９０間で、接続可能な状態となる。
【００４５】
ステップＳ２１０：アクセスポイント７０とユーザー端末９０との間の無線接続が成功した場合、ユーザー端末９０は、入力部９４を介した入力操作により、顧客ＩＤ情報や座席情報を入力する。例えばユーザー端末９０の表示部９３上に、顧客ＩＤを示すダイアログ表示を示し、Ｙｅｓ，Ｎｏの選択をする、あるいはマイレージ番号などの顧客ＩＤ情報を入力するダイアログ表示にもとづき乗客が顧客ＩＤ情報を入力部９４より入力するなどの方法がある。
【００４６】
なお、図９に示す処理をユーザー端末９０において実行するためのプログラムはユーザー端末９０に予めダウンロードされインストールされていてもよいし、アクセスポイント７０との接続時にＡＶサーバー２０からダウンロードできるようにしてもよい。
ステップＳ２１１：セキュリティサーバー６０は、ユーザー端末９０よりアクセスポイント７０を介して受信した顧客ＩＤ情報や座席情報に基づき端末認証情報（図８）を生成する。
【００４７】
ステップＳ２１２：セキュリティサーバー６０の制御部６１は、ＡＶサーバー２０より取得した中断情報に含まれる顧客ＩＤ情報とユーザー端末９０を介して得られた端末認証情報に含まれる顧客ＩＤ情報の照合判定を行う。
ステップＳ２１３：セキュリティサーバー６０は、ステップＳ２１２の照合の結果顧客ＩＤ情報が一致した場合は、ＡＶサーバー２０に格納されているコンテンツ情報の内、中断情報にある座席端末４０において視聴が中断したコンテンツを、顧客ＩＤ情報が一致するユーザー端末に対して、中断位置を含むコンテンツの残り部分のコンテンツ情報を送信する。端末側で受信する方法としては端末側に予めコンテンツを受信のためのアプリケーションをインストール（格納）しておくことが望ましく、また該アプリケーションに顧客ＩＤ情報を保存しておき、セキュリティサーバー６０からの問い合わせに対してアプリケーション自身が応答することにより、乗客が顧客ＩＤ情報を入力する手間を省くことも可能となる。
【００４８】
ステップＳ２１４：ユーザー端末９０は、送信された残りのコンテンツ情報をメモリ９２に格納する。格納された残りのコンテンツ情報は、その後利用者の要求に従い制御部９１より読み出され、圧縮されたコンテンツをデジタル動画像データに圧縮復号した後に表示部９３に表示可能となる。
［２−３．  変形例］
上記実施の形態においては、ＡＶサーバー２０とセキュリティサーバー６０とが別々のコンピュータ装置で実現する方法で説明したが、この構成に限定されない。二つのサーバー装置の機能を一つのコンピュータ装置に搭載したソフトウェアで実現してもよい。
［２−４．  効果等］
上記実施の形態にかかる通信システム２によれば、航空機の搭乗中にコンテンツ情報の視聴の中断を余儀なくされた場合であっても、乗客は降機後、いつでもユーザー端末９０を用いて残りのコンテンツ情報を視聴できる。
【００４９】
また、コンテンツ全体のダウンロードを許すのではなく、乗客が視聴中のコンテンツの視聴できなかった残りのコンテンツ情報のみを条件にコンテンツ情報の配信を可能するため、違法コピー等によりコンテンツがコンテンツホルダの意図に関わらずコンテンツが漏れるリスクを最小限に抑えられる。
（他の実施の形態）
以上、図面を用いて本発明の実施形態を説明したが、本発明の具体的な構成は、前述の実施形態に限られるものではなく、発明の要旨を逸脱しない範囲で種々の変更及び修正が可能である。例えば、次のような変更が可能である。
［１．］
上記実施の形態においては、コンテンツ情報は各座席に設けられた座席端末４０に送信されているが、これに限定されない。例えば、複数の座席にコンテンツ情報をまとめて受信し、圧縮されたデジタルコンテンツの復号などの処理を行い、各座席に設けられた表示装置、液晶や有機ＥＬによりディスプレイに表示するように構成しても良い。
［２．］
実施の形態１においてＡＶサーバー２０から取り出してＷｅｂサーバー５０に中断位置情報を直接接続され送信されることに限定されない。仲介するサーバー装置があってもよい。また客室乗務員がＡＶサーバー２０の情報を記憶メディアにいったん保存し、その記憶メディアの内容を所定の通信装置によりＷｅｂサーバー５０に転送する場合も含まれる。
【００５０】
［３．］
残りのコンテンツ情報を座席端末４０やユーザー端末９０に送信する場合、課金や時間等の条件を設けてもよい。
例えば、送信前に課金を確認するダイアログを表示させて、残りのコンテンツ情報のダウンロードの可否を決定するようにしてもよい。また、この場合、複数の課金レベルを設けてもよい。例えば、ユーザー端末９０向けのダウンロードであってかつ1時間以内なら無料とする、残りのコンテンツ情報が半分以下なら１ＵＳドル、ほぼ全部なら３ＵＳドルとする等である。
また、課金する場合、顧客のレベルに応じて課金レベルを変更してもよい。例えば、上級顧客（Ｆ／Ｃクラス、プラチナ/ゴールド会員等）に対しては無料でダウンロードを許可する。また、再生回数が１回のみの場合は無料、複数回再生の場合は有料とする等の設定も可能である。
また、残りのコンテンツ情報のダウンロードは、降機後２４時間以内であれば無料、２４時間を超える場合は有料又は許可しない、等とすることも可能である。
【００５１】
［４．］
実施の形態１においてユーザー端末９０は、座席端末にコネクタ接続（例えば、ＵＳＢ等）させてＡＶサーバー２０に有線で接続できるようにしてもよい。
ダウンロードするコンテンツ情報のファイルは、ユーザー端末９０の特性（ＨＤ，ＳＤ等の解像度、オーディオのＣＨ数等）に合ったものであればよい。また、ファイル形式は、ユーザー端末９０の特性にあった再生ソフトを含む。
【００５２】
［５．］
上記実施の形態は、航空機に適用されることを例にしているが、所定の空間内に設置され、コンテンツ情報を格納し、制限された時間内においてコンテンツ情報を所定の空間内において視聴しなければならない状況であればよく、例えば、新幹線等の列車や会議室、ホール等においても適用できる。
【産業上の利用可能性】
【００５３】
本開示は、所定の空間において利用される通信システム及びサーバー装置等として適用可能である。
【符号の説明】
【００５４】
１      通信システム（通信システムの一例）
２      通信システム（通信システムの一例）
１０    ユーザー端末
１１    制御部
１２    メモリ
１３    表示部
１４    入力部
１５    送信部
１６    受信部
２０    ＡＶサーバー（第１のサーバー装置又は管理サーバー装置の一例）
２１    制御部
２２    メモリ
２５    送信部
２６    受信部
３０    アクセスポイント
４０    座席端末（第１の端末装置の一例）
４１    制御部
４２    メモリ
４３    表示部
４４    入力部
４５    送信部
４６    受信部
５０    Ｗｅｂサーバー（第２のサーバー装置又は通信サーバー装置の一例）
５１    制御部
５２    メモリ
５５    送信部
５６    受信部
６０    セキュリティサーバー（管理サーバー装置の一例）
６１    制御部
６２    メモリ
６５    送信部
６６    受信部
９０    ユーザー端末（第２の端末装置の一例）
９１    制御部
９２    メモリ
９３    表示部
９４    入力部
９７    無線ＩＦ部
【図１】
2014138408.tif 000003
【図２】
2014138408.tif 000004
【図３】
2014138408.tif 000005
【図４】
2014138408.tif 000006
【図５】
2014138408.tif 000007
【図６】
2014138408.tif 000008
【図７】
2014138408.tif 000009
【図８】
2014138408.tif 000010
【図９】
2014138408.tif 000011